(57)【要約】【課題】本発明は、ユーザの意思に応じて自由にアナログ放送とデジタル放送を切り替えることができる車両用放送受信装置の提供を目的とする。【解決手段】デジタル放送を受信するデジタル放送受信機１０と、アナログ放送を受信するアナログ放送受信機２０とを有する車両用放送受信装置において、アナログ放送の受信映像とデジタル放送の受信映像を表示する映像表示装置４０と、アナログ放送の受信状態とデジタル放送の受信状態をユーザに報知する指標表示装置５０と、ユーザからの操作入力に基づいて、デジタル放送とアナログ放送のいずれか一方の受信映像を映像表示装置４０に表示させる切替スイッチ３０とを備えることを特徴とする、車両用放送受信装置。【選択図】図１
2007300375.tif 000002
【特許請求の範囲】
【請求項１】
アナログ放送とデジタル放送を受信する車両用放送受信装置において、
アナログ放送の受信映像とデジタル放送の受信映像を表示する表示手段と、
アナログ放送の受信状態とデジタル放送の受信状態をユーザに報知する報知手段と、
ユーザからの操作入力に基づいて、デジタル放送とアナログ放送のいずれか一方の受信映像を前記表示手段に表示させる切替手段とを備えることを特徴とする、車両用放送受信装置。
【請求項２】
請求項１記載の車両用放送受信装置であって、
前記報知手段は、前記表示手段にアナログ放送の受信映像が表示される場合にはデジタル放送の受信状態を報知し、前記表示手段にデジタル放送の受信映像が表示される場合にはアナログ放送の受信状態を報知する、車両用放送受信装置。
【請求項３】
請求項１記載の車両用放送受信装置であって、
前記表示手段による受信映像の表示と、前記報知手段によるアナログ放送の受信状態の報知と、前記報知手段によるデジタル放送の受信状態の報知とが、同時に行われる、車両用放送受信装置。
【請求項４】
請求項１から３のいずれかに記載の車両用放送受信装置であって、
前記報知手段は、アナログ放送の受信状態とデジタル放送の受信状態をユーザに視覚的に報知する、車両用放送受信装置。
【請求項５】
アナログ放送とデジタル放送を受信する車両用放送受信装置において、
アナログ放送の受信映像とデジタル放送の受信映像を表示する表示手段と、
ユーザからの操作入力に基づいて、デジタル放送とアナログ放送のいずれか一方の受信映像を前記表示手段に表示させる切替手段とを備え、
前記表示手段に、アナログ放送の受信状態とデジタル放送の受信状態が表示される、車両用放送受信装置。
【請求項６】
請求項５記載の車両用放送受信装置であって、
前記表示手段にアナログ放送の受信映像が表示される場合にはデジタル放送の受信状態が表示され、前記表示手段にデジタル放送の受信映像が表示される場合にはアナログ放送の受信状態が表示される、車両用放送受信装置。
【請求項７】
請求項５記載の車両用放送受信装置であって、
前記表示手段に、受信映像とアナログ放送の受信状態とデジタル放送の受信状態が同時に表示される、車両用放送受信装置。
【発明の詳細な説明】
【技術分野】
【０００１】
本発明は、車両用の放送受信装置に関し、より詳細には、デジタル放送とアナログ放送を受信可能な車両用放送受信装置に関する。
【背景技術】
【０００２】
デジタルテレビ放送の開始に向けて、近年、移動体に設置される移動体用テレビ受信装置の開発が進んでいる（例えば、特許文献１参照）。この移動体用テレビ受信装置は、アナログテレビ受信機の受信状態とデジタルテレビ受信機の受信状態を自動判定し、その判定結果により、アナログテレビ受信機とデジタルテレビ受信機のいずれか一方で受信されたテレビ放送を行うように、放送の切換を自動で行うものである。この移動体用テレビ受信装置によって、デジタルテレビ放送が受信できなくなったときにはアナログテレビ放送によってテレビの受信を継続させるようにし、また、デジタルテレビ放送が受信できるようになったときにはデジタルテレビ放送に戻すようにしている。
【特許文献１】特開２００１−３０９２５４号公報
【発明の開示】
【発明が解決しようとする課題】
【０００３】
しかしながら、上述の従来技術のように、テレビ受信装置が一義的にデジタル放送からアナログ放送に切り替えたり或いはアナログ放送からデジタル放送に切り替えたりすると、ユーザがテレビを視聴している状況によってはそのような受信装置主体の動作が都合の悪い場合もあり、デジタル放送とアナログ放送の切り替えに対するユーザの自由度がない。例えば、自動切換えを好まないユーザのニーズに応えることができない。また、必ずしもデジタル放送とアナログ放送で同じ放送内容を同時に流しているとは限らないので、テレビ受信装置が受信状態を判断してデジタル放送とアナログ放送を勝手に切り替えることはユーザに違和感を与えるおそれがある。
【０００４】
そこで、本発明は、ユーザの意思に応じて自由にアナログ放送とデジタル放送を切り替えることができる車両用放送受信装置の提供を目的とする。
【課題を解決するための手段】
【０００５】
上記課題を解決するため、第１の発明として、
アナログ放送とデジタル放送を受信する車両用放送受信装置において、
アナログ放送の受信映像とデジタル放送の受信映像を表示する表示手段と、
アナログ放送の受信状態とデジタル放送の受信状態をユーザに報知する報知手段と、
ユーザからの操作入力に基づいて、デジタル放送とアナログ放送のいずれか一方の受信映像を前記表示手段に表示させる切替手段とを備えることを特徴とする、車両用放送受信装置を提供する。
【０００６】
また、第２の発明は、第１の発明に係る車両用放送受信装置であって、前記報知手段は、前記表示手段にアナログ放送の受信映像が表示される場合にはデジタル放送の受信状態を報知し、前記表示手段にデジタル放送の受信映像が表示される場合にはアナログ放送の受信状態を報知することを特徴とする。
【０００７】
また、第３の発明は、第１の発明に係る車両用放送受信装置であって、前記表示手段による受信映像の表示と、前記報知手段によるアナログ放送の受信状態の報知と、前記報知手段によるデジタル放送の受信状態の報知とが、同時に行われることを特徴とする。
【０００８】
また、第４の発明は、第１から第３のいずれかの発明に係る車両用放送受信装置であって、前記報知手段は、アナログ放送の受信状態とデジタル放送の受信状態をユーザに視覚的に報知することを特徴とする。
【０００９】
さらに、上記課題を解決するため、第５の発明として、
アナログ放送とデジタル放送を受信する車両用放送受信装置において、
アナログ放送の受信映像とデジタル放送の受信映像を表示する表示手段と、
ユーザからの操作入力に基づいて、デジタル放送とアナログ放送のいずれか一方の受信映像を前記表示手段に表示させる切替手段とを備え、
前記表示手段に、アナログ放送の受信状態とデジタル放送の受信状態が表示される、車両用放送受信装置を提供する。
【００１０】
また、第６の発明は、第５の発明に係る車両用放送受信装置であって、前記表示手段にアナログ放送の受信映像が表示される場合にはデジタル放送の受信状態が表示され、前記表示手段にデジタル放送の受信映像が表示される場合にはアナログ放送の受信状態が表示されることを特徴とする。
【００１１】
また、第７の発明は、第５の発明に係る車両用放送受信装置であって、前記表示手段に、受信映像とアナログ放送の受信状態とデジタル放送の受信状態が同時に表示されることを特徴とする。
【発明の効果】
【００１２】
本発明によれば、ユーザの意思に応じて自由にアナログ放送とデジタル放送を切り替えることができる。
【発明を実施するための最良の形態】
【００１３】
以下、図面を参照して、本発明を実施するための最良の形態の説明を行う。図１は、本発明に係る車両用放送受信装置の第１の実施形態を示すブロック図である。テレビ放送において、アナログ放送からデジタル放送への移行期には同一番組をアナログとデジタルで放送するサイマル放送が行われている。デジタル放送受信機１０はアンテナ１１に接続され、アナログ放送受信機２０はアンテナ２１に接続される。アンテナ１１やアンテナ２１の具体例として、ダイバーシティアンテナがある。なお、アンテナ１１とアンテナ２１を一つにまとめ、分配器を介して、デジタル放送受信機１０とアナログ放送受信機２０にそれぞれ接続してもよい。
【００１４】
アンテナ１１が受信したデジタル放送電波のデジタル放送信号は、デジタル放送受信機１０に入力される。デジタル放送受信機１０は、デジタル放送信号について復調部１２にて復調されたデータを映像・音声処理部（デコード部）１５を通して、デジタル放送の音声及び映像を出力する。
【００１５】
デジタル放送受信機１０は、復調部１２、受信レベル検出部１３、指標変換部１４及び映像・音声処理部１５を備える。
【００１６】
復調部１２は、アンテナ１１が受信したデジタル放送電波のデジタル放送信号を復調し、映像・音声処理部１５が、デジタル放送の音声信号及び映像信号を取り出して、デジタル放送の映像表示と音声出力が可能となるよう外部に出力する。
【００１７】
受信レベル検出部１３は、アンテナ１１が受信したデジタル放送電波のデジタル放送信号の受信レベル（受信状態）を検出する。デジタル放送信号の受信レベルは、受信したデジタル放送電波の電界強度の大きさを表す。例えば、デジタル放送受信機１０の内部で使用されるＡＧＣ信号（自動利得制御信号）やデジタル放送信号自体のチューナなどへの入力電圧を利用することによって、デジタル放送信号の受信レベルの検出が可能である。
【００１８】
なお、受信レベル検出部１３は、パケットエラー情報に基づいて、デジタル放送信号の受信状態を検出してもよい。受信レベル検出部１３は、デジタル放送信号のエラー有無のフラグをＴＳパケットに付与する。デジタル放送信号のエラー発生率が所定値以上の場合にエラー有りのフラグが立てられる。
【００１９】
指標変換部１４は、受信レベル検出部１３によって検出されたデジタル放送信号の受信レベルがユーザにとってのデジタル放送とアナログ放送を切り替える指標となるように、そのデジタル放送信号の受信レベルに対応した指標情報に変換する。変換された指標情報は、指標表示装置５０に出力される。
【００２０】
一方、アンテナ２１が受信したアナログ放送電波のアナログ放送信号は、アナログ放送受信機２０に入力される。アナログ放送受信機２０は、復調部２２にてそのアナログ放送信号を復調して、アナログ放送の音声及び映像を出力する。
【００２１】
アナログ放送受信機２０は、復調部２２、受信レベル検出部２３及び指標変換部２４を備える。
【００２２】
復調部２２は、アンテナ２１が受信したアナログ放送電波のアナログ放送信号を復調することによって、アナログ放送の音声信号及び映像信号を取り出して、アナログ放送の映像表示と音声出力が可能となるよう外部に出力する。
【００２３】
受信レベル検出部２３は、アンテナ２１が受信したアナログ放送電波のアナログ放送信号の受信レベル（受信状態）を検出する。アナログ放送信号の受信レベルは、受信したアナログ放送電波の電界強度の大きさを表す。例えば、アナログ放送信号自体のチューナなどへの入力電圧を利用することによって、アナログ放送信号の受信レベルの検出が可能である。
【００２４】
指標変換部２４は、受信レベル検出部２３によって検出されたアナログ放送信号の受信レベルがユーザにとってのデジタル放送とアナログ放送を切り替える指標となるように、そのアナログ放送信号の受信レベルに対応した指標情報に変換する。変換された指標情報は、指標表示装置５０に出力される。
【００２５】
デジタル放送受信機１０の出力端子は、切替スイッチ３０の入力端子３０ａに接続され、アナログ放送受信機２０の出力端子は、切替スイッチ３０の入力端子３０ｂに接続される。切替スイッチ３０の出力端子３０ｃは映像表示装置４０に接続される。切替スイッチ３０は、デジタル放送受信機１０によって受信したデジタル放送の映像・音声信号とアナログ放送受信機２０によって受信したアナログ放送の映像・音声信号のいずれか一方を選択的に映像表示装置４０に出力する。
【００２６】
切替スイッチ３０の切り替えは、ユーザの操作入力に基づいて行われる。切替スイッチ３０の具体例として、モーメンタリ式やオルタネイト式のボタンスイッチ等の手動の操作スイッチが挙げられる。ユーザのスイッチ操作によって、デジタル放送受信機１０と映像表示装置４０が接続されたり、アナログ放送受信機２０と映像表示装置４０が接続されたりする。なお、切替スイッチ３０の切り替えは、ユーザの遠隔操作を可能にするリモコンからの信号に基づいて行われてもよい。
【００２７】
映像表示装置４０は、ユーザに対し視覚的な情報提供をする表示装置であって、より具体的には、ＴＦＴ−ＬＣＤ（薄膜トランジスタ方式液晶ディスプレイ）、自発光タイプのＥＬ（Electro  Luminescence）パネル、ＶＦＤ（蛍光表示管）及びヘッドアップディスプレイ等がある。なお、映像表示装置４０には、デジタル放送受信機１０やアナログ放送受信機２０からの音声信号に基づいて音声出力が可能なように、スピーカ等の音声出力装置が設けられている。
【００２８】
ところで、デジタル放送とアナログ放送における、受信電波の電界強度（受信レベル）と受信品質との関係は、図５のように示すことができる。アナログ放送の場合、その受信電波の電界強度が強くなるにつれて受信品質が徐々に向上する特徴がある。一方、デジタル放送の場合、その受信電波の電界強度が一定以上なければ高い受信品質が得られない特徴がある。
【００２９】
したがって、アナログ放送の場合は受信状態が悪くなると映像は乱れ見えにくくなるが音声はある程度聞くことが可能であるが、デジタル放送の場合は受信状態が悪くなると映像と音声がすぐに途絶えることになる。
【００３０】
そこで、デジタル放送とアナログ放送の受信状態をユーザに報知することによって、その受信状態がデジタル放送とアナログ放送の切り替えの指標となるようにするため、指標表示装置５０は、指標変換部１４からの指標情報を表示するとともに、指標変換部２４からの指標情報を表示する。指標表示装置５０は、上述の映像表示装置４０と同様にＴＦＴ−ＬＣＤ等の表示装置でもよいし、ＬＥＤやフィラメント等の明滅するランプでもよい。
【００３１】
図３は、指標表示装置５０での指標情報の表示状態を示した一例である。受信レベル検出部１３によって検出されたデジタル放送信号の受信レベルが、受信品質が良好と判定できる所定の受信レベル以上の値である場合には、指標変換部１４はデジタル放送の受信品質が良好であることを示す「ＯＫ」を指標表示装置５０に表示させる。受信レベル検出部１３によって検出されたデジタル放送信号の受信レベルが、受信品質が不良と判定できる所定の受信レベルより小さい値である場合には、指標変換部１４はデジタル放送の受信品質が不良であることを示す「ＮＧ」を指標表示装置５０に表示させる。
【００３２】
なお、受信レベル検出部１３は、パケットエラー情報に基づいて、デジタル放送信号の受信レベル（受信状態）を検出する場合、受信レベル検出部１３によって検出されたデジタル放送信号のエラー発生率が、受信品質が良好と判定できる所定値以上の場合には、指標変換部１４はデジタル放送の受信品質が良好であることを示す「ＯＫ」を指標表示装置５０に表示させ、受信品質が不良と判定できる所定値より小さい場合には、指標変換部１４はデジタル放送の受信品質が不良であることを示す「ＮＧ」を指標表示装置５０に表示させる。
【００３３】
一方、受信レベル検出部２３によって検出されたアナログ放送信号の受信レベルが、受信品質が良好と判定できる所定の受信レベル以上の値である場合には、指標変換部２４はアナログ放送の受信品質が良好であることを示す「Ａ」を指標表示装置５０に表示させる。受信レベル検出部２３によって検出されたアナログ放送信号の受信レベルが、受信品質が不良と判定できる所定の受信レベル以下の値である場合には、指標変換部２４はアナログ放送の受信品質が不良であることを示す「Ｃ」を指標表示装置５０に表示させる。受信レベル検出部２３によって検出されたアナログ放送信号の受信レベルが、受信品質が不良と判定できる所定の受信レベルより大きく受信品質が良好と判定できる所定の受信レベルより小さい値である場合には、指標変換部２４はアナログ放送の受信品質が中間品質であることを示す「Ｂ」を指標表示装置５０に表示させる。
【００３４】
また、アナログ放送の受信品質が良好と判定される場合には、指標変換部２４はアナログ放送の受信品質が良好であることを示す「青色」を指標表示装置５０に表示させてもよい（ランプを青色に点灯、指標情報を青色表示）。また、アナログ放送の受信品質が不良と判定される場合には、指標変換部２４はアナログ放送の受信品質が不良であることを示す「赤色」を指標表示装置５０に表示させてもよい（ランプを赤色に点灯、指標情報を赤色表示）。さらに、アナログ放送の受信品質が中間品質と判定される場合には、指標変換部２４はアナログ放送の受信品質が中間品質であることを示す「黄色」を指標表示装置５０に表示させてもよい（ランプを黄色に点灯、指標情報を黄色表示）。
【００３５】
ここで、「指標表示装置５０によるアナログ放送の指標情報」と「指標表示装置５０によるデジタル放送の指標情報」と「映像表示装置４０によるアナログ放送あるいはデジタル放送の映像」の３つが同時に表示される。
【００３６】
なお、指標変換部２４は、切替スイッチ３０の切り替え状態を検出することによって、指標表示装置５０に表示させる指標情報を選択してもよい。すなわち、指標変換部２４は、切替スイッチ３０がデジタル放送受信機１０と映像表示装置４０とが接続される側に切り替わっていることが検出された場合には、映像表示装置４０にデジタル放送が表示されているので、映像表示装置４０に表示されていないアナログ放送の指標情報を指標表示装置５０に表示させる。また、指標変換部２４は、切替スイッチ３０がアナログ放送受信機２０と映像表示装置４０とが接続される側に切り替わっていることが検出された場合には、映像表示装置４０にアナログ放送が表示されているので、映像表示装置４０に表示されていないデジタル放送の指標情報を指標表示装置５０に表示させる。
【００３７】
図２は、本発明に係る車両用放送受信装置の第２の実施形態を示すブロック図である。図２に示される第２の実施形態において、図１に示される第１の実施形態と同一の符号については、第１の実施形態と同様の構成・機能を有しているので、説明を省略または簡略する。第２の実施形態の車両用放送受信装置では、第１の実施形態と異なり、指標表示装置５０を設けずに、指標変換部１４によって変換された指標情報と指標変換部２４によって変換された指標情報は、映像表示装置４０に出力される。
【００３８】
図４は、映像表示装置４０での指標情報の表示状態を示した一例である。映像表示装置４０の画面４１上に、その指標情報がアナログ放送あるいはデジタル放送の映像と併せて表示される。ユーザは、映像表示装置４０の画面４１に映し出されるテレビ映像を見ながら、視線をほとんど移動させることなく、デジタル放送とアナログ放送の受信状態を把握することができる。
【００３９】
したがって、上述の車両用放送受信装置の実施形態によれば、映像表示装置４０にアナログ放送またはデジタル放送の受信映像が表示され、指標表示装置５０あるいは映像表示装置４０にアナログ放送とデジタル放送の受信状態が表示され、切替スイッチ３０によってアナログ放送とデジタル放送のいずれか一方の受信映像が映像表示装置４０に表示されるので、ユーザは、指標表示装置５０に表示される指標情報を見ながら、デジタル放送の受信映像とアナログ放送の受信映像の表示の切り替えを自由に行うことができる。特に、映像表示装置４０の画面４１に表示される受信映像と併せて指標情報を表示させることで、ユーザの視線をほとんど移動させる必要がなくなる。
【００４０】
例えば、デジタル放送の受信状態が次第に悪くなると、映像表示装置４０に表示されるデジタル放送の受信映像とその出力音声はフリーズするので、その状態を見たユーザは切替スイッチ３０を操作してアナログ放送に自ら切り替えることができる。そして、アナログ放送を視聴中のときには、デジタル放送の指標情報が表示されているので、デジタル放送の受信品質が良好になれば、ユーザは切替スイッチ３０を操作して映像表示装置４０に表示される受信映像をアナログ放送からデジタル放送に自ら切り替えて戻すことができる。
【００４１】
また、上述の車両用放送受信装置の実施形態によれば、「指標表示装置５０によるアナログ放送の指標情報」と「指標表示装置５０によるデジタル放送の指標情報」と「映像表示装置４０によるアナログ放送あるいはデジタル放送の映像」の３つが同時に表示されるので、映像表示装置４０の受信映像とデジタル／アナログ放送の両者の指標情報（受信レベル）とを比較しながら、ユーザはデジタル放送の表示とアナログ放送の表示を切り替えることが可能になる。
【００４２】
また、上述の車両用放送受信装置の実施形態は、デジタルやアナログ放送信号自体のチューナなどへの入力電圧に応じた指標情報をユーザに報知するものであるので（すなわち、アナログ放送とデジタル放送の切り替えの指標としてそれぞれの放送の受信状態をユーザに情報提供するものであるので）、システムを簡素な構成にすることができるとともに、システムの開発工数や開発費用を抑えることができる。特に、デジタルとアナログのサイマル放送は、限定された期間での放送であるため、できるだけ簡素なシステムでの構成で対応したいというニーズにかなう。
【００４３】
なお、上述の車両用放送受信装置の実施形態に特に図示はしていないが、デジタル放送受信機１０とアナログ放送受信機２０の受信チャネルの制御をするチャネル設定部があってもよい。チャネル設定部は、ユーザの入力操作に従って受信チャネルを指示する信号を各受信機に出力する。各受信機は、入力信号に従って受信チャネルを設定する。
【００４４】
また、アナログ放送とデジタル放送の切り替え時に同じ放送内容になるように、チャネル設定部は、アナログ放送のチャネルおよびデジタル放送のチャネルを自動設定するようにしてもよい。自動設定するためには、チャネル設定部は、デジタル放送受信機１０からＥＰＧ（Electric  Program  Guide）情報を取得する。ＥＰＧ情報は、デジタルテレビ放送の１番組を利用して提供される番組情報であり、各チャネルの各時間帯の放送内容を示す。ＥＰＧ情報に、デジタル放送と同じ番組が提供されるアナログ放送チャネルを示す情報を付加する。この情報を利用して、チャネル設定部は両受信機を同じ放送内容のチャネルに設定する。
【００４５】
チャネル設定部はＥＰＧ情報を使わずに他の方法でチャネル自動設定を行ってもよい。例えば図示しないメモリ装置が、同じ内容の放送を行うデジタル放送のチャネルとアナログ放送のチャネルを記憶しておいてもよい。この記憶情報を基にチャネル設定部が、同じ放送内容のチャネルに両受信機を自動設定する。
【００４６】
以上、本発明の好ましい実施例について詳説したが、本発明は、上述した実施例に制限されることはなく、本発明の範囲を逸脱することなく、上述した実施例に種々の変形及び置換を加えることができる。
【００４７】
例えば、切替スイッチ３０は、手動の操作スイッチではなく、ユーザの音声を認知してアナログ放送とデジタル放送の切り替えを行う音声認識装置でもよいし、要求指令メニューを選択表示し、選択された要求指令に従って切り替えを行うタッチパネル装置でもよい。
【００４８】
また、指標表示装置５０は、視覚的に知らせる表示装置でなく、音声によって知らせる音声出力装置でもよい。
【００４９】
また、指標情報は、アナログ放送とデジタル放送の切り替えの指標となればよいので、「ＯＫ／ＮＧ」や「Ａ／Ｂ／Ｃ」といった文字や記号に限らず、携帯電話で見受けられる受信電波の状態を表示するアンテナ等のアイコンでもよい。また、受信レベルに応じて複数の色に分けて表示することによって、アナログ放送とデジタル放送を切り替える指標とすることができる。
【図面の簡単な説明】
【００５０】
【図１】本発明に係る車両用放送受信装置の第１の実施形態を示すブロック図である。
【図２】本発明に係る車両用放送受信装置の第２の実施形態を示すブロック図である。
【図３】指標表示装置５０での指標の表示状態を示した一例である。
【図４】映像表示装置４０での指標の表示状態を示した一例である。
【図５】デジタル放送とアナログ放送における、受信電波の電界強度（受信レベル）と受信品質との関係を示した図である。
【符号の説明】
【００５１】
１０  デジタル放送受信機
１１，２１  アンテナ
１２，２２  復調部
１３，２３  受信レベル検出部
１４，２４  指標変換部
１５  映像・音声処理部
２０  アナログ放送受信機
３０  切替スイッチ
４０  映像表示装置
４１  画面
５０  指標表示装置
【図１】
2007300375.tif 000003
【図２】
2007300375.tif 000004
【図３】
2007300375.tif 000005
【図４】
2007300375.tif 000006
【図５】
2007300375.tif 000007